(57)【要約】【課題】ピストンプレートや固定部材の保護膜の損傷を抑制することができるすべり支承を提供する。【解決手段】一方の構造体と一方の構造体に対向する他方の構造体との間に配置されるすべり支承であって、一方の構造体に固定される固定部材２と、固定部材２の他方の構造体側に設けられた凹部２ａと、凹部２ａ内に配置され、凹部２ａの底面に接着される弾性部材３と、弾性部材３の他方の構造体側に接着されたピストンプレート４と、ピストンプレート４の他方の構造体側に接着された滑り部材５と、ピストンプレート４の側面であって、一方の構造体側の面から所定の間隔を存して設けられた環状溝４ａと、環状溝４ａに嵌合する合成樹脂製部材７と、を備える。【選択図】図１
2020026813.tif 000002
【特許請求の範囲】
【請求項１】
一方の構造体と前記一方の構造体に対向する他方の構造体との間に配置されるすべり支承であって、
前記一方の構造体に固定される固定部材と、
前記固定部材の他方の構造体側に設けられた凹部と、
前記凹部内に配置され、前記凹部の底面に接着される弾性部材と、
前記弾性部材の他方の構造体側に接着されたピストンプレートと、
前記ピストンプレートの他方の構造体側に接着された滑り部材と、
前記ピストンプレートの側面に設けられた環状溝と、
前記環状溝に嵌合する合成樹脂製部材と、を備え、
前記合成樹脂製部材は、前記環状溝から径方向外側に突出していることを特徴とするすべり支承。
【請求項２】
請求項１に記載のすべり支承であって、
前記合成樹脂製部材の形状は環状であることを特徴とするすべり支承。
【発明の詳細な説明】
【技術分野】
【０００１】
本発明は、２つの構造体の間に配置され、両構造体の相対的な回転や相対的な位置のずれを許容する、すべり支承に関する。
【背景技術】
【０００２】
従来、一方の構造体と、一方の構造体に対向する他方の構造体との間に配置されるすべり支承であって、一方の構造体に固定される弾性部材と、弾性部材の他方の構造体側に接着されたピストンプレートと、ピストンプレートの他方の構造体側に接着された滑り部材と、を備えるすべり支承が知られている（例えば、特許文献１参照）。
【先行技術文献】
【特許文献】
【０００３】
【特許文献１】実開昭５２−１３６１２号公報
【発明の概要】
【発明が解決しようとする課題】
【０００４】
特許文献１のものでは、弾性部材により建物などの構造体の傾斜などを吸収できるが、地震などによる構造体の移動時に弾性部材が水平方向に変形する場合がある。弾性部材が水平方向に大きく変形すると弾性部材とピストンプレートとの接着が剥がれる虞があり、弾性部材とピストンプレートとの接着強度が問題となってくる。そこで、弾性部材の水平方向の変形量を規制すべく、一方の構造体と弾性部材との間に、凹部を有する断面コ字状の固定部材を固定し、固定部材の凹部内に弾性部材を収容することで、弾性部材の水平方向の変形量を凹部の側面で規制することが考えられる。しかしながら、この場合、弾性部材が変形すると、凹部側面にピストンプレートが接触する虞があり、固定部材やピストンプレートの防錆膜などの保護膜が損傷する虞がある。
【０００５】
本発明は、以上の点に鑑み、ピストンプレートや固定部材の保護膜の損傷を抑制することができるすべり支承を提供することを目的とする。
【課題を解決するための手段】
【０００６】
［１］上記目的を達成するため、本発明のすべり支承（例えば、実施形態のすべり支承１）は、
一方の構造体（例えば、実施形態の躯体８又は床６。以下、同一。）と前記一方の構造体に対向する他方の構造体（例えば、実施形態の床６又は躯体８。以下、同一。）との間に配置されるすべり支承であって、
前記一方の構造体に固定される固定部材（例えば、実施形態の固定部材２。以下、同一。）と、
前記固定部材の他方の構造体側に設けられた凹部（例えば、実施形態の凹部２ａ。以下、同一。）と、
前記凹部内に配置され、前記凹部の底面に接着される弾性部材（例えば、実施形態の弾性部材３。以下、同一。）と、
前記弾性部材の他方の構造体側に接着されたピストンプレート（例えば、実施形態のピストンプレート４。以下、同一。）と、
前記ピストンプレートの他方の構造体側に接着された滑り部材（例えば、実施形態の滑り部材５。以下、同一。）と、
前記ピストンプレートの側面に設けられた環状溝（例えば、実施形態の環状溝４ａ。以下、同一。）と、
前記環状溝に嵌合する合成樹脂製部材（例えば、実施形態の合成樹脂製部材７。以下、同一。）と、
を備え、
前記合成樹脂製部材は、前記環状溝から径方向外側に突出していることを特徴とする。
【０００７】
本発明によれば、ピストンプレートと固定部材とが直接接触することなく、ピストンプレートと固定部材とは合成樹脂製部材を介して接触することとなる。また、合成樹脂製部材は、ピストンプレートの一方の構造体側の面から所定の間隔を存して設けられた環状溝に嵌合されている。このため、ピストンプレートが固定部材に対して傾くように相対的に動いた場合であっても、ピストンプレートの側面の他方の構造体側の部分が固定部材に接触し難くなり、ピストンプレートや固定部材の防錆膜などの保護膜の損傷を抑制させることができる。
【０００８】
［２］また、本発明においては、前記合成樹脂製部材の形状は環状であることが好ましい。かかる構成によれば、合成樹脂製部材を環状溝に接着しなくても合成樹脂製部材が環状溝との嵌合状態を維持することができる。このため、合成樹脂製部材を容易に環状溝に嵌合させることができる。
【図面の簡単な説明】
【０００９】
【図１】本発明のすべり支承の実施形態を示す断面図。
【図２】本実施形態のすべり支承を分解して示す説明図。
【発明を実施するための形態】
【００１０】
図１を参照して、本発明の実施形態のすべり支承１は、金属製で正方形板状の固定部材２と、クロロプレンの板ゴムなどからなる円板形状の弾性部材３と、金属製で円板形状のピストンプレート４と、滑り部材５と、を備える。滑り部材５の他方の面（図の下面）は、本実施形態における他方の構造体としてのステンレス製の床６に接触している。
【００１１】
図２を参照して、固定部材２の他方の面（図の下面）には、他方の面から一方の面（図の上面）に向かってへこむ円板形状の凹部２ａが形成されている。弾性部材３の一方の面（図の上面）は凹部２ａの底面に、両面テープまたは接着剤で接着されている。
【００１２】
また、固定部材２の四隅には、一方の面（図の上面）から他方の面（図の下面）に向かって貫通する貫通孔２ｂが夫々設けられている。固定部材２とピストンプレート４には、防錆膜で覆うべく、カチオン電着塗装や溶融亜鉛めっきなどが施されている。なお、ピストンプレート４は必ずしも金属製でなくてもよく、例えば、合成樹脂製であってもよい。
【００１３】
ピストンプレート４の一方の面（一方の構造体としての躯体８（図１参照）側の面。図の上面。）は、弾性部材３の他方の面（他方の構造体としての床６（図１参照）側の面。図の下面。）に、両面テープまたは接着剤で接着されている。ピストンプレート４の周面には、一方の面（一方の構造体としての躯体８（図１参照）側の面。図の上面。）から所定の間隔を存した位置に環状溝４ａが設けられている。
【００１４】
所定の間隔は、すべり支承１の厚さや直径、弾性部材３の厚さや直径、床６や躯体８の種類などに応じて適宜設定される。環状溝４ａには、一箇所が切断されて端部７ａ同士が向き合うように環状に形成されたＣ字形状の合成樹脂製部材７が嵌合されている。合成樹脂製部材７の幅は、環状溝４ａの深さよりも広く設定されており、合成樹脂製部材７を環状溝４ａに嵌合させたときに、合成樹脂製部材７の外縁部分が環状溝４ａから径方向外側に突出している。なお、合成樹脂製部材７は、ピストンプレート４を合成樹脂で形成する場合には、ピストンプレート４よりも剛性の低い合成樹脂で形成する。
【００１５】
また、ピストンプレート４の他方の面（他方の構造体としての床６（図１参照）側の面。図の下面。）には、滑り部材５の上方部分を受け入れる円板状の凹部４ｂが形成されている。滑り部材５は凹部４ｂの底面に両面テープまたは接着剤にて接着されている。
【００１６】
図１を参照して、固定部材２は、本実施形態における一方の構造体としての躯体８にボルト（図示省略）を貫通孔２ｂに挿通させるなどして固定されている。例えば、弾性部材３は、直径を厚さで除した割合が１９〜２１程度とすることが良い。躯体８は床６に対向して配置されており、躯体８と床６との間にすべり支承１が配置されている。
【００１７】
本実施形態のすべり支承１によれば、ピストンプレート４と固定部材２とが直接接触することなく、ピストンプレート４と固定部材２とは合成樹脂製部材７を介して接触することとなる。また、合成樹脂製部材７は、ピストンプレート４の一方の面から所定の間隔を存して設けられた環状溝４ａに嵌合されている。このため、ピストンプレート４が固定部材２に対して傾くように相対的に動いた場合であっても、ピストンプレート４の側面の他方の構造体としての床６側の部分が固定部材２に接触し難くなり、ピストンプレート４や固定部材２の防錆膜などの保護膜の損傷を抑制させることができる。
【００１８】
また、本実施形態においては、合成樹脂製部材７の形状は環状としている。これにより、合成樹脂製部材７を環状溝４ａに接着しなくても合成樹脂製部材７が環状溝４ａとの嵌合状態を維持することができる。このため、合成樹脂製部材７を容易に環状溝に嵌合させることができる。
【００１９】
なお、本実施形態においては、合成樹脂製部材７の形状をＣ字形状の環状としている。しかしながら、本発明の合成樹脂製部材は環状に限らない。例えば、合成樹脂製部材の形状を円弧形状として、複数の合成樹脂製部材を環状溝に嵌合させて接着してもよい。
【００２０】
また、本実施形態においては、一方の構造体として躯体８、他方の構造体として床６を説明したが、本発明の両構造体はこれに限らない。例えば、一方の構造体を床とし、他方の構造体を躯体としてもよい。
【符号の説明】
【００２１】
１  すべり支承
２  固定部材
２ａ  凹部
３  弾性部材
４  ピストンプレート
４ａ  環状溝
４ｂ  凹部
５  滑り部材
６  床（他方の構造体）
７  合成樹脂製部材
８  躯体（一方の構造体）
【図１】
2020026813.tif 000003
【図２】
2020026813.tif 000004